(57)【要約】【課題】レンズ交換のためにボディマウントの開口を開放すると、カメラの外部からミラーボックス内に空気とともに入り込んだ塵芥が保持枠の周りの隙間を経てペンタプリズム側に侵入して焦点板上に付着するおそれがある。【解決手段】保持枠５４は、スクリーン押圧部材５６との間に焦点板５２を挟持して、ペンタプリズム４１と反射ミラーとの間でミラーボックス６０の上面の矩形状の開口６０ａに支持されている。保持枠５４は２つの開口５４ｅ、５４ｇを有し、開口５４ｅは焦点板５２で塞がれ、開口５４ｇはミラーボックスの開口６０ｇの内縁より内側で開口５４ｅの縁部に焦点板５２の板厚方向に貫通して形成されている。そして、焦点板５２の板厚方向に撓み変形可能な可撓性シート７０が、開口５４ｇを塞いて保持枠の上面５４ｈに設けられている。【選択図】図５
2009288538.tif 000002
【特許請求の範囲】
【請求項１】
一眼レフレックスカメラのファインダ構造において、
ペンタプリズムと、
被写体光束を上記ペンタプリズム方向に反射する可動の反射ミラーと、
上記反射ミラーで反射された被写体光束を受けて被写体像を形成する平板状の焦点板と、
上記被写体光束を通過させる矩形状の第１の開口を有し、上記ペンタプリズムを支持するとともに上記反射ミラーを可動に支持するミラーボックスと、
上記焦点板により塞がれる第２の開口と、上記第１の開口の内縁より内側の該第２の開口の縁部に上記焦点板の板厚方向に貫通した第３の開口とを有し、上記ペンタプリズムと上記反射ミラーとの間に設けられて上記ミラーボックスの第１の開口の内縁に嵌合される保持枠と、
上記保持枠の第３の開口を塞ぎ、上記焦点板の板厚方向に撓むことが可能な変形膜と、
を具備することを特徴とする一眼レフレックスカメラのファインダ構造。
【請求項２】
一眼レフレックスカメラのファインダ構造において、
ペンタプリズムと、
被写体光束を上記ペンタプリズム方向に反射する可動の反射ミラーと、
上記反射ミラーで反射された被写体光束を受けて被写体像を形成する平板状の焦点板と、
上記被写体光束を通過させる矩形状の第１の開口を有し、上記ペンタプリズムを支持するとともに上記反射ミラーを可動に支持するミラーボックスと、
上記被写体光束を通過させる矩形状の第２の開口と、上記ミラーボックスの第１の開口の内縁より内側で該第２の開口より外側に上記焦点板の板厚方向に貫通した第３の開口とを有し、該第２の開口を塞ぐように焦点板を保持し、上記ペンタプリズムと上記反射ミラーとの間に設けられて上記ミラーボックスの第１の開口の内縁に嵌合される保持枠と、
上記保持枠の第３の開口を塞ぎ、上記焦点板の板厚方向に撓むことが可能な変形膜と、
を具備することを特徴とする一眼レフレックスカメラのファインダ構造。
【請求項３】
上記保持枠の第３の開口は、上記焦点板の外縁より外方で上記第１の開口の内縁より内側の第２の開口の縁部に形成されている請求項１または２記載の一眼レフレックスカメラのファインダ構造。
【請求項４】
上記変形膜は、上記反射ミラー側から上記ペンタプリズム側に撓むことを特徴とする請求項１〜３のいずれかに記載の一眼レフレックスカメラのファインダ構造。
【請求項５】
ファインダ内情報表示のための表示板が、上記ペンタプリズムと上記焦点板との間で上記焦点板と平行に設けられていることを特徴とする請求項１〜４のいずれかに記載の一眼レフレックスカメラのファインダ構造。
【発明の詳細な説明】
【技術分野】
【０００１】
本発明は、一眼レフレックスカメラ、特に、保持枠、焦点板、スクリーン押圧部材をユニット化した一眼レフレックスカメラのファインダ構造に関する。
【背景技術】
【０００２】
一般的に、一眼レフレックスカメラにおいては、撮影光学系レンズを通過した被写体からの光束を光軸（撮影光学系光軸）上の可動の反射ミラー（メインミラー）で上方に反射させて焦点板（ファインダスクリーン、フォーカシングスクリーン）で結像し、その像（倒立像）を焦点板の上方に位置するペンタプリズム（またはペンタミラー）で左右反転させて、ペンタプリズムの後方に位置する観察光学系を経て正立像の被写体像を観察している。
また、一眼レフレックスカメラは、ミラーボックス前面の開放されたボディマウントの開口に撮影光学系レンズを装着可能となっており、撮影光学系レンズの装着によってレンズ交換がなされる。
【０００３】
反射ミラーからの被写体光束が結像した焦点板をＣＣＤやＣＭＯＳなどの反射光を撮像面と等価の位置に配置するために、ボディマウントからの焦点板の光路長や、観察光学系の光軸（観察光学系光軸）、すなわち反射ミラーによって折り曲げられた撮影光学系光軸に対する焦点板の傾き（観察光学系光軸）を調整する必要がある。
【０００４】
たとえば特開２００５−０１７４０３号公報記載のように、矩形状のスクリーン押圧部材がその上に焦点板を保持し、そのスクリーン押圧部材を一回り大きな矩形状の保持枠（スクリーン本体、ユニット枠）内に下方から装着することにより、焦点板を保持枠、スクリーン押圧部材の間に挟持して焦点板、保持枠、スクリーン押圧部材をユニット化している。そして、ミラーボックスの上面との間隔を厚さの異なる複数のスペーサ（カンザ）で調整してそのユニット（スクリーンユニット）をミラーボックスの上面に位置決めし、それによって焦点板の光路長や傾きを調整している。
【発明の開示】
【発明が解決しようとする課題】
【０００５】
保持枠、焦点板、スクリーン押圧部材をユニット化してなるスクリーンユニットがミラーボックスに対して可動であるため、ミラーボックスとの間でスクリーンユニットの周囲、具体的には保持枠の周囲に隙間が僅かとはいえ必ず存在する。しかし、隙間が存在すれば、撮影光学系レンズをミラーボックス前面のボディマウントに装着するためにボディマウントの開口を開放すると、空気（外気）がカメラの外部からミラーボックス内に入り込んで反射ミラー側の空間（焦点板より下方の空間）からスクリーン本体の隙間を経て焦点板と保持枠とに囲まれた空間（焦点板より上方の空間、ペンタプリズム側の空間）に侵入し、空気とともに侵入した塵芥が焦点板上に付着するおそれがある。特に、ボディマウントの開口や反射ミラーから塵芥を除くためにブロアーなどを使用すると、空気とともに塵芥が保持枠の周りの隙間から焦点板と保持枠とに囲まれた空間に流れ込んで焦点板上に付着しやすい。
本発明は、焦点板と保持枠とに囲まれた空間への塵芥の侵入を妨げることのできる一眼レフレックスカメラのファインダ構造の提供を目的としている。
【特許文献１】特開２００５−０１７４０３号公報
【課題を解決するための手段】
【０００６】
請求項１記載の本発明によれば、一眼レフレックスカメラのファインダ構造は、ペンタプリズムと、被写体光束を上記ペンタプリズム方向に反射する可動の反射ミラーと、上記反射ミラーで反射された被写体光束を受けて被写体像を形成する平板状の焦点板と、上記被写体光束を通過させる矩形状の第１の開口を有し、上記ペンタプリズムを支持するとともに上記反射ミラーを可動に支持するミラーボックスと、上記焦点板により塞がれる第２の開口と、上記第１の開口の内縁より内側の該第２の開口の縁部に上記焦点板の板厚方向に貫通した第３の開口とを有し、上記ペンタプリズムと上記反射ミラーとの間に設けられて上記ミラーボックスの第１の開口の内縁に嵌合される保持枠と、上記保持枠の第３の開口を塞ぎ、上記焦点板の板厚方向に撓むことが可能な変形膜とを具備することを特徴としている。
請求項２記載の本発明によれば、一眼レフレックスカメラのファインダ構造は、ペンタプリズムと、被写体光束を上記ペンタプリズム方向に反射する可動の反射ミラーと、上記反射ミラーで反射された被写体光束を受けて被写体像を形成する平板状の焦点板と、上記被写体光束を通過させる矩形状の第１の開口を有し、上記ペンタプリズムを支持するとともに上記反射ミラーを可動に支持するミラーボックスと、上記被写体光束を通過させる矩形状の第２の開口と、上記ミラーボックスの第１の開口の内縁より内側で該第２の開口より外側に上記焦点板の板厚方向に貫通した第３の開口とを有し、該第２の開口を塞ぐように焦点板を保持し、上記ペンタプリズムと上記反射ミラーとの間に設けられて上記ミラーボックスの第１の開口の内縁に嵌合される保持枠と、上記保持枠の第３の開口を塞ぎ、上記焦点板の板厚方向に撓むことが可能な変形膜とを具備することを特徴としている。
請求項３記載の本発明によれば、上記保持枠の第３の開口は、上記焦点板の外縁より外方で上記第１の開口の内縁より内側の第２の開口の縁部に形成されている。
請求項４記載の本発明によれば、上記変形膜は、上記反射ミラー側から上記ペンタプリズム側に撓むようになっている。
請求項５記載の本発明によれば、ファインダ内情報表示のための表示板が、上記ペンタプリズムと上記焦点板との間で上記焦点板と平行に設けられている。
【発明の効果】
【０００７】
請求項１記載の本発明では、撮影光学系レンズをミラーボックス前面のボディマウントに装着するためにボディマウントの開口を開放してカメラの外部から空気（外気）がミラーボックス内に入り込むと、変形膜が焦点板の板厚方向で反射ミラー側の空間（高圧側の空間）から焦点板と保持枠とに囲まれた空間（低圧側の空間）に撓んで焦点板と保持枠とに囲まれた空間の圧力を高める。そして、２つの空間の圧力差が少なくなり、圧力差による高圧側から低圧側への気流の発生が防止され、保持枠とミラーボックスとの間の隙間を介した反射ミラー側の空間から焦点板と保持枠とに囲まれた空間への空気の流れが阻止されて焦点板と保持枠とに囲まれた空間への塵芥の侵入を妨げるため、焦点板上への塵芥の付着を大幅に減らすことができる。
請求項２記載の本発明では、請求項１の本発明と同様に、撮影光学系レンズをミラーボックス前面のボディマウントに装着するためにボディマウントの開口を開放してカメラの外部から空気（外気）がミラーボックス内に入り込むと、変形膜が焦点板の板厚方向で反射ミラー側の空間（高圧側の空間）から焦点板と保持枠とに囲まれた空間（低圧側の空間）に撓んで焦点板と保持枠とに囲まれた空間の圧力を高める。そして、２つの空間の圧力差が少なくなり、圧力差による高圧側から低圧側への気流の発生が防止され、保持枠とミラーボックスとの間の隙間を介した反射ミラー側の空間から焦点板と保持枠とに囲まれた空間への空気の流れが阻止されて焦点板と保持枠とに囲まれた空間への塵芥の侵入を妨げるため、焦点板上への塵芥の付着を大幅に減らすことができる。
請求項３記載の本発明では、保持枠の第３の開口が焦点板の外縁より外方に設けられているため、空気が焦点板に妨げられることなく保持枠の第３の開口に侵入して変形膜を撓ませる構成が容易に得られる。
請求項４記載の本発明では、変形膜が焦点板の板厚方向で反射ミラー側の空間から焦点板と保持枠とに囲まれた空間に十分に撓んで焦点板と保持枠とに囲まれた空間を加圧して、高圧側から低圧側への空気の流れが十分に阻止されるため、焦点板上への塵芥の付着を確実に減らすことができる。
請求項５記載の本発明では、ファインダ内情報表示のための表示板をペンタプリズムと焦点板との間で焦点板と平行に設けているにもかかわらず、変形膜が焦点板の板厚方向で反射ミラー側の空間から焦点板と保持枠とに囲まれた空間に十分に撓んで焦点板と保持枠とに囲まれた空間を加圧して、高圧側から低圧側への空気の流れが十分に阻止されるため、焦点板上への塵芥の付着を確実に減らすことができる。
【発明を実施するための最良の形態】
【０００８】
本発明では、保持枠は、スクリーン押圧部材との間に焦点板を挟持して、ペンタプリズムと反射ミラーとの間でミラーボックスの上面の矩形状の開口に支持されている。保持枠は２つの開口を有し、一方の開口は焦点板で塞がれ、他方の開口はミラーボックスの開口の内縁より内側で一方の開口の縁部に焦点板の板厚方向に貫通して形成されている。そして、焦点板の板厚方向に撓み変形可能な可撓性シートが保持枠の他方の開口を塞いで保持枠の上面に設けられている。
【実施例】
【０００９】
以下、図面を参照しながら本発明の実施例について詳細に説明する。図１は本発明の一実施例に係るファインダ構造を備えた一眼レフレックスカメラの背面外観の斜視図を示す。図２〜図４は図１に示すカメラからその構成部材を順次除去または分離した図を示し、図２では上蓋が除去され、図３ではファインダユニットがさらに分離されて、図４ではスクリーンユニットがさらに分離されている。また、図５は図３の線Ａ−Ａに沿った一部破断の断面図を示す。
【００１０】
図１に示すように、一眼レフレックスカメラ１０は、カメラ本体２０と、カメラ本体の上面を覆う上蓋（ウワイタ）３０とを備えて構成されている。上蓋３０を除くとカメラ本体２０の上端に配置されたファインダユニット４０が臨まれ（図２参照）、ファインダユニットの下方でカメラ本体の内部にスクリーンユニット５０が配置されている（図３参照）。
【００１１】
図２、図３に示すように、ファインダユニット４０は、ペンタプリズム４１、観察光学系レンズ４３などを備え、これらをユニット化して構成されている。また、図４、図５に示すように、スクリーンユニット５０は、焦点板（ファインダスクリーン、フォーカシングスクリーン）５２、保持枠（スクリーン本体、ユニット枠）５４、スクリーン押圧部材５６などを備え、これらをユニット化して構成されている。
【００１２】
ユニット化されたスクリーンユニット５０の構成は本発明の要部でなく、その基本的な構成は特開２００５−０１７４０３号公報記載の構成に略等しいため、詳細な説明は省略して概略的に述べるに留める。
なお、撮影光学系光軸に沿った方向で被写体側を前方とし、撮影光学系光軸に沿った方向において被写体側と逆側（結像側）を後方とする。
【００１３】
図５に示すように、スクリーン押圧部材５６は、対向する２辺の板ばね状の押圧辺５６ａ（図では１枚のみを示す）を含む４辺の枠辺を持つ矩形状の枠体からなり、２辺の押圧辺の中央は凸部状に成形され、この中央の凸部分５６ａ’の上に平板状の焦点板５２が保持されている。
【００１４】
また、保持枠（スクリーン本体、ユニット枠）５４は、スクリーン押圧部材５６よりも一回り大きな矩形状の枠体からなり、図５には図示されないが、下方に面した段部を有し、スクリーン押圧部材５６に保持された焦点板５２の上面をこの段部に押圧させて、スクリーン押圧部材との間に平板状の焦点板を挟持している。
つまり、スクリーン押圧部材の保持辺（板ばね）の中央の凸部分５６ａ’を下方に変形させて押圧辺（板ばね）５６ａに上方の弾性力を発生させ、この弾性力のもとで焦点板５２の上面は保持枠５４の段部に押圧されて、焦点板は保持枠、スクリーン押圧部材の間に強固に挟持されている。
【００１５】
カメラ本体２０の前半部（被写体側）にはミラーボックス６０が設けられ、ミラーボックスはその内部に反射ミラー（メインミラー）６２を可動に支持し、ミラーボックスの前面は円形状に開口し、ミラーボックスの上面は矩形状に開口されている。そして、ミラーボックス６０の前面の円形の開口を囲んでボディマウントが螺着され、ミラーボックス上面の矩形の開口６０ａの上方でペンタプリズム４１を含むファインダユニット４０がミラーボックスに支持されている。なお、ペンタプリズム４１をミラーボックス６０に直接支持させてもよい。
【００１６】
反射ミラー６２は、非撮影時（ファインダ観察時）には図４のＹ軸と平行な撮影光学系光軸上に斜設状態で位置し、ボディマウントに装着された撮影光学系レンズを介した被写体からの光束（被写体光束）を上方に反射させて焦点板５２で結像させている。つまり、非撮影時（ファインダ観察時）には、反射ミラー６２でペンタプリズム側に反射された被写体光束を焦点板５２が受けて、被写体像が焦点板に形成されている。被写体光束はミラーボックス上面の開口６０ａを通過し、ペンタプリズム４１で反射されて観察光学系レンズに至ってファインダ像が観察される。また、撮影時には、撮影光学系光軸上から反射ミラー６２が上方に退避するため、被写体光束は反射ミラー背後のシャッタ開口を経て撮像素子（ＣＣＤ）に至る。
【００１７】
特開２００５−０１７４０３号公報記載のような公知の方法でミラーボックスの上面の開口６０ａをほぼ塞ぐようにミラーボックス６０の上面にスクリーンユニット５０が位置決めされ、スクリーンユニットの上方にファインダユニット４０が配置されている。
【００１８】
すなわち、図４に示すように、枠形状からなる保持枠５４の左右（図４の矢視Ｘ方向が右、反Ｘ方向が左）の辺から４つの突出片５４ａが水平に延出し、この突出片に貫通孔５４ａ’が形成されている。また、ミラーボックス６０の上面には、貫通孔５４ａ’と整列する位置にピン６０ｂが上方に延出している。実施例では、設計上の問題から、ミラーボックス６０の上面の右端面に２つ、左端面に１つのピン６０ｂが設けられているが、上面の左端面に２つ設けてもよい。
【００１９】
さらに、ミラーボックス６０の上面右端面の２つのピン６０ｂから等距離の位置でミラーボックスの上面右端面に、上方に延びたねじ穴付のボス６０ｃが形成され、対応する位置でミラーボックスの上面左端面にも同様のねじ穴付ボスが形成されている。薄板リング形状のスペーサ（カンザ）５４ｄをミラーボックス上面のピン６０ｂに嵌装させ、中央部が凸の板ばね５４ｂの挿通孔を介してビス５４ｃがミラーボックス上面のボス６０ｃのねじ穴に螺着される。このとき、カンザの厚さを調整することにより、ミラーボックス６０の上面でのスクリーンユニット５０の位置が調整されて、ボディマウントからの焦点板５２の光路長や焦点板の傾きが調整される。焦点板５２の傾きは、撮影レンズ系光軸に対する観察レンズ系光軸Ｏ１（図５参照）に対応する。
【００２０】
ミラーボックス６０の上面に配置されるスクリーンユニット５０は、焦点板５２の光路長や傾きを調整する位置決めのために板ばね５４による固定前にはミラーボックスに対して相対移動可能となっている。すなわち、スクリーンユニットの保持枠５２はミラーボックスの上面の開口６０ａの内縁に隙間嵌め状態に嵌合されてミラーボックス６０内に配置され、図５に示すように、スクリーンユニット５０とミラーボックス６０との間でスクリーンユニットの周囲、具体的には保持枠５４の周囲に隙間Ｃが存在する。この隙間Ｃは、僅かなものとはいえ、スクリーンユニット５０がミラーボックスの開口６０ａに対して嵌合するため避けられない。
【００２１】
枠形状の保持枠５４はその中央部に開口５４ｅを有し、この開口５４ｅを下方から塞いで焦点板５２が配置されている。さらに、保持枠５４は開口５４ｅの縁部５４ｆに焦点板５２の板厚方向に伸びた別の開口(貫通孔)５４ｇを有している。すなわち、焦点板５２の外縁（外形）より外方でミラーボックスの開口６０ａの内縁（内形）より内側において、保持枠の開口５４ｅの縁部５４ｆに焦点板の板厚方向に貫通した開口（貫通孔）５４ｇが形成されている。
開口５４ｇの数、大きさ、形状などは適宜決めればよく、たとえば開口５４ｅの対向する縁部５４ｆに円形の開口５４ｇが２つずつ設けられる。
【００２２】
焦点板５２は、焦点板の位置するミラーボックスの空間を反射ミラー６２側の空間Ｓ１と、焦点板５２、保持枠５４、ペンタプリズム４１に囲まれた空間Ｓ２とを分離しており、開口５４ｇは、焦点板を挟んだ２つの空間Ｓ１、Ｓ２を連通する連通孔ということもできる。
【００２３】
焦点板５２の板厚方向に撓み変形可能な変形膜７０が開口５４ｇを塞いで保持枠に設けられている。たとえば、ゴム材からなる板状の可撓性シートが変形膜７０とされ、可撓性シートはペンタプリズム側の保持枠の面（上面）５４ｈに舌片状に配置されている。すなわち、舌片状の可撓性シート７０は、その中央部が開口５４ｇを塞ぎ、その内端、外端の双方を保持枠の面５４ｈにたとえば両面テープや接着剤で固定して、保持枠の面５４ｈ上に設けられている。
このように、可撓性シート７０は、開口５４ｇを塞ぐことによって、反射ミラー６２側の空間Ｓ１と焦点板５２、保持枠５４、ペンタプリズム４１に囲まれた空間Ｓ２との連通を妨げている。
【００２４】
図５に示すように、焦点板５２とペンタプリズム４１との間には、ファインダユニット４０の構成部材である表示板４４、第１、第２の視野マスク４５−１、４５−２が設けられている。ここで、表示板４４は焦点板５２と平行に設けられ、ペンタプリズム側の表示板の面(上面)４４ａに第１の視野マスク４５−１が配置され、第１の視野マスクは、その周りに隙間を残すことなくファインダブロック４６のペンタプリズム入射面開口を囲むように接着剤４７で固定されている。また、ペンタプリズム側のファインダブロック４６の面（上面）４６ａに段部４６ａ’が形成され、この段部に第２の視野マスク４５−２が配置され、第１、第２の視野マスク４５−１、４５−２によって、表示板４の視野範囲を限定している。
【００２５】
表示板４４と第２の視野マスク４５−２との間にプリズム（図示しない）が配置されており、表示用のＬＣＤからの絞り、シャッタ速度などのファイダ内の被写体の撮影情報がプリズムを介して表示板に表示され、焦点板で結像された被写体像とともにファインダで観察される。
【００２６】
上記のように、反射ミラー６２側の空間Ｓ１と、焦点板５２と保持枠５４とに囲まれた空間Ｓ２とを連通する開口５４ｇが、焦点板５２の板厚方向に撓み変形可能な可撓性シート（変形膜）７０で塞がれて焦点板５２の上下でミラーボックス６０の空間が隔離されている。
【００２７】
ここで、撮影光学系レンズをミラーボックス前面のボディマウントに装着するためにボディマウントの開口を開放すると、カメラの外部から外気（空気）が反射ミラー６２側の空間Ｓ１に流入する。特に、ボディマウントの開口や反射ミラーから塵芥を除くためにブロアーなどを使用すると、高圧の外気が反射ミラー６２側の空間Ｓ１に流入する。そして、空間Ｓ１、Ｓ２の圧力差から、反射ミラー６２側の空間Ｓ１に流入した外気の一部は反射ミラー６２側の空間Ｓ１から隙間Ｃを経て焦点板５２、保持枠５４、ペンタプリズム４１に囲まれた空間Ｓ２に流れ込もうとする。
【００２８】
図６は、ブロアーによる空気（外気）がミラーボックス側の空間に流入したときにおける図３の線Ａ−Ａに沿った一部破断の断面図を示す。
ブロアーによって反射ミラー６２側の空間Ｓ１に流入して開口５４ｇに侵入した空気（外気）は、空間Ｓ１、Ｓ２を隔離する可撓性シート７０を押圧して、図６に示すように、可撓性シートを焦点板５２の板厚方向で高圧側（反射ミラー側の空間Ｓ１）から低圧側（焦点板５２、保持枠５４、ペンタプリズム４１に囲まれた空間Ｓ２）に撓ませて空間Ｓ２の圧力を高める。可撓性シート７０が撓んで空間Ｓ２の圧力が高まると、空間Ｓ１、Ｓ２の圧力差が少なくなり、圧力差による反射ミラー側の空間Ｓ１から焦点板５２、保持枠５４、ペンタプリズム４１に囲まれた空間Ｓ２への気流の発生が防止される。そのため、保持枠５４とミラーボックス６０との間の隙間Ｃを介した反射ミラー側の空間Ｓ１から焦点板５２、保持枠５４、ペンタプリズム４１に囲まれた空間Ｓ２への空気の流れが阻止され、焦点板上への塵芥の付着が大幅に減らされる。
【００２９】
実施例では可撓性シート７０をペンタプリズム４１側の保持枠の面（上面）５４ｈに設けているが、反射ミラー５０側の保持枠の面（下面）５４ｈ’に設けてもよい。しかし、可撓性シート７０を反射ミラー６２側の保持枠の面（下面）５４ｈ’に設ければ、可撓性シート７０は開口５４ｈに入り込むように撓み、可撓性シートの撓みが開口５４ｈに規制され、可撓性シートは十分に撓まない。これに対して、可撓性シート７０をペンタプリズム４１側の保持枠の面（上面）５４ｈに設ければ、可撓性シートは、開口５４ｈにその撓みを規制されることなく、反射ミラー６２側からペンタプリズム４１側に十分に撓んで焦点板５２、保持枠５４、ペンタプリズム４１に囲まれた空間Ｓ２を加圧でき、反射ミラー側の空間Ｓ１から空間Ｓ２への気流の発生を十分に阻止できる。
【００３０】
また、開口５４ｇはミラーボックスの開口６０ａの内縁（内形）より内側において保持枠の開口５４ｅの縁部５４ｆに形成されておれば足り、開口５４ｇを焦点板５２の外縁（外形）より外方に設けても内方に設けてもよい。しかし、実施例のように焦点板５２の外縁より外方でミラーボックスの開口６０ａの内縁より内側において保持枠の開口５４ｅの縁部５４ｆに開口５４ｇを形成すれば、空気が焦点板に妨げられることなく保持枠の開口５４ｇに侵入して変形膜を撓ませる構成が容易に得られる。なお、焦点板５２の上面（ペンタプリズム側の面）５４ｈに凹部を設けて開口５４ｇに至る空気の経路を焦点板５２と保持枠の開口５４ｅの縁部５４ｆとの間に十分に確保すれば、焦点板５２の外縁より内方でミラーボックスの開口６０ａの内縁より内側において保持枠の開口５４ｅの縁部５４ｆに開口５４ｇに設けてもよい。
【００３１】
ブロアーによる強制的な空気（外気）の流入が断たれれば、可撓性シート７０は撓みのない原形（常態）にその弾性で復帰することはいうまでもない。そして、図５に示す可撓性シート７０の常態では、可撓性シートから保持枠５４になんらの押力も作用しないため、保持枠５４、スクリーン押圧部材５６の間に挟持されている焦点板５２に位置ずれは生じず、焦点板は正しい位置に維持される。このように可撓性シート７０の存在は焦点板５２の位置決めになんらの悪影響を生じない。
【００３２】
ファイダ内の被写体の撮影情報が表示される表示板４４がペンタプリズム４１、焦点板５２の間で焦点板と平行に設けられていても、変形膜が焦点板の板厚方向で反射ミラー側の空間から焦点板と保持枠とに囲まれた空間に十分に撓んで焦点板と保持枠とに囲まれた空間を加圧して、高圧側から低圧側への空気の流れが十分に阻止されるため、焦点板上への塵芥の付着を確実に減らすことができる。
【００３３】
上記のように本発明によれば、ボディマウントの開口が開放されてカメラの外部から空気（外気）が反射ミラーを含む空間に流入すると、変形膜が焦点板の板厚方向で高圧側（反射ミラー側の空間Ｓ１）から低圧側（焦点板５２、保持枠５４、ペンタプリズム４１に囲まれた空間Ｓ２）に撓んで焦点板と保持枠とに囲まれた空間Ｓ２の圧力を高めて、２つの空間の圧力差が少なくなり、圧力差による高圧側から低圧側への気流の発生を防止している。そのため、保持枠とミラーボックスとの間の隙間を介した反射ミラー側の空間Ｓ１から焦点板５２、保持枠５４、ペンタプリズム４１に囲まれた空間Ｓ２への空気の流れが阻止され、焦点板上への塵芥の付着が大幅に減少される。
【００３４】
上述した実施例は、本発明を説明するためのものであり、本発明を何等限定するものでなく、本発明の技術範囲内で変形、改造等の施されたものも全て本発明に包含されることはいうまでもない。
【００３５】
なお、請求項１におけるミラーボックスの第１の開口は実施例ではミラーボックス上面の矩形の開口６０ａとして、同様に保持枠の第２の開口は開口５４ｅとして、第３の開口は開口５４ｇとしてそれぞれ具体化されている。
【産業上の利用可能性】
【００３６】
本発明によれば、レンズ交換のためにボディマウントの開口が開放される一眼レフレックスカメラに広範囲に応用できる。
【図面の簡単な説明】
【００３７】
【図１】本発明の一実施例に係るファインダ構造を備えた一眼レフレックスカメラの背面外観の斜視図を示す。
【図２】上蓋を除いた一眼レフレックスカメラの背面外観の斜視図を示す。
【図３】ファインダユニットをさらに分離した一眼レフレックスカメラの背面外観の斜視図を示す。
【図４】スクリーンユニットをさらに分離した一眼レフレックスカメラの背面外観の斜視図を示す。
【図５】図３の線Ａ−Ａに沿った一眼レフレックスカメラの一部破断の断面図を示す。
【図６】ブロアーによる空気（外気）がミラーボックス側の空間に流入したときにおける図３の線Ａ−Ａに沿った一眼レフレックスカメラの一部破断の断面図を示す。
【符号の説明】
【００３８】
１０    一眼レフレックスカメラ
２０    カメラ本体
３０    上蓋
４０    ファインダユニット
４１    ペンタプリズム
４４    表示板
５０    スクリーンユニット
５２    焦点板（ファインダスクリーン、フォーカシングスクリーン）
５４    保持枠（スクリーン本体、ユニット枠）
５４ｅ      開口（第２の開口）
５４ｆ  縁部
５４ｇ  開口（第３の開口）
５６    スクリーン押圧部材
６０    ミラーボックス
６０ａ  上面の開口(第１の開口)
６２    反射ミラー
７０    変形膜（可撓性シート）
Ｃ    ミラーボックス、スクリーンユニット間の隙間
Ｓ１    反射ミラー側の空間（焦点板より下方の空間）
Ｓ２    焦点板、保持枠、ペンタプリズムに囲まれた空間（焦点板より上方の空間）
【図１】
2009288538.tif 000003
【図２】
2009288538.tif 000004
【図３】
2009288538.tif 000005
【図４】
2009288538.tif 000006
【図５】
2009288538.tif 000007
【図６】
2009288538.tif 000008